(57)【要約】【課題】  アスファルト舗装の繋ぎ目や舗装部分と建物との接地部のわずかな隙間に生えた雑草を作業性良くかつわずかな力で取り除くことができる雑草取り具を提供する。【解決手段】  柄部２の前側に雑草取り除き用金具を取り付けた雑草取り具１であって、前記金具は断面を円形あるいは方形とする上部基軸３と下部基軸４で構成され、前記上部基軸３は全長を直棒とし、その略中間位置にアーチ状突起部３ｂを上方向に設けるとともに前記基軸３の先端には雑草を抜き取るための爪部３ａを備え、また前記下部基軸４は柄部側を一部直棒としかつその前方を下方に折り返した形状とするとともにその先端には雑草を引き抜くための爪部４ａを備えたことを特徴とする。【選択図】図１
0003219655.tif 000002
【実用新案登録請求の範囲】
【請求項１】
柄部の前側に雑草取り除き用金具を取り付けた雑草取り具であって、
前記金具は断面を円形あるいは方形とする上部基軸と下部基軸で構成され、前記上部基軸は全長を直棒とし、その略中間位置にアーチ状突起部を上方向に設けるとともに前記基軸の先端には雑草を抜き取るための爪部を備え、また前記下部基軸は柄部側を一部直棒としかつその前方を下方に折り返した形状とするとともにその先端には雑草を引き抜くための爪部を備えたことを特徴とする雑草取り具。
【請求項２】
請求項１記載の上部基軸に設けたアーチ状突起部は、薄板で形成され、かつアーチ頂上部は前記基軸の直径あるいは辺長の２倍乃至４倍の幅広としたことを特徴とする雑草取り具。
【請求項３】
請求項１記載の上部基軸及び下部基軸の柄部側の共通する直棒部は、互いに密着して構成されるとともに先端の爪部はいずれも平刃形状で刃幅を２ｍｍ乃至１０ｍｍとしたことを特徴とする雑草取り具。
【請求項４】
請求項１記載の上部基軸及び下部基軸の柄部側の共通する直棒部は、一体構造として構成されたことを特徴とする雑草取り具。
【考案の詳細な説明】
【技術分野】
【０００１】  本考案は、雑草を取り除くための用具であって、特にアスファルト舗装の繋ぎ目などに生えた雑草を取り除くために用いる雑草取り具に関する。
【背景技術】
【０００２】  アスファルト舗装の繋ぎ目や舗装部分と建物との接地部の隙間に生えた雑草を取り除く際には、大形の手動用具や草刈り機などが使用できないため、やむなく雑草を指先で摘まんだりあるいは先の細い特殊用具などを使用して１本ごと根元から取り除く作業が行われている。
【先行技術文献】
【特許文献】
【０００３】
【特許文献１】実開平６−５０４０１号  公報
【特許文献２】特開２００２−８４８０１号  公報
【考案の概要】
【考案が解決しようとする課題】
【０００４】  雑草を根元から引き抜く又は抜き取る作業に使用される用具として例えば特許文献１及び特許文献２に示すようなものが開示されているが、アスファルト舗装の繋ぎ目や舗装部分と建物との接地部の隙間は通常３ｍｍ乃至５ｍｍと狭く、このわずかな隙間に生えた雑草を取り除く作業に使用される用具としてはいずれも不向きもしくは作業性が悪かった。【０００５】  本考案は、上記課題を解決するためアスファルト舗装の繋ぎ目や舗装部分と建物との接地部のわずかな隙間に生えた雑草を作業性良くかつわずかな力で取り除くことができる雑草取り具の提供を目的とする。
【課題を解決するための手段】
【０００６】  上記目的を達成するため本考案の雑草取り具は、柄部の前側に雑草取り除き用金具を取り付けた雑草取り具であって、前記金具は断面を円形あるいは方形とする上部基軸と下部基軸で構成され、前記上部基軸は全長を直棒とし、その略中間位置にアーチ状突起部を上方向に設けるとともに前記基軸の先端には雑草を抜き取るための爪部を備え、また前記下部基軸は柄部側を一部直棒としかつその前方を下方に折り返した形状とするとともにその先端には雑草を引き抜くための爪部を備えており、雑草の生え方や大きさに応じて２通りの使い分けを行えることを特徴としている。
【考案の効果】
【０００７】  本考案の雑草取り具は、雑草の大きさが比較的小さくわずかな力で根元から引き抜くことができる場合には下部基軸の爪を使用して引き抜き、反対に雑草が比較的大きく根元からの引き抜きに力を要する場合には上部基軸のアーチ部頂上を支点としてする梃子の応用で同様に爪を使用して抜き取れば、いずれの場合も作業性良くかつわずかな力で雑草の取り除き作業を行うことができる。
また、本考案の雑草取り具は簡易構成のため軽量でかつメンテナンスも容易に行うことができる。
【図面の簡単な説明】
【０００８】
【図１】本考案に係る雑草取り具の側面図である。
【図２】本考案に係る雑草取り具の平面図である。
【図３】図２のＡ−Ａ線切断部の端面図を示す（拡大図）。
【考案を実施するための形態】
【０００９】  以下、本考案に係る雑草取り具の一実施の形態について、図１乃至図３に基づいて説明する。
図１又は図２に示す雑草取り具１は、手で握るための柄部２とこの柄部２の前側に取り付けられた断面を円形あるいは方形とする上部基軸３及び下部基軸４より構成されている。上部基軸３は全長を直棒とし、その略中間位置にアーチ状突起部３ｂを上方向に設けるとともにその先端に雑草を抜き取るための爪部３ａを備え、また前記下部基軸４は柄部側を一部直棒としかつその前方を下方に折り返した形状とするとともにその先端に雑草を引き抜くための爪部４ａを備えており、雑草の生え方や大きさに応じて２通りの使い分けを行えるようにしている。
【００１０】  なお、柄部２の素材は木材や樹脂、また上部基軸３、アーチ状突起物３ｂ及び下部基軸４の素材は爪部３ａ、４ａも含めて金属例えば炭素鋼やステンレス等が適している。
【００１１】  上部基軸３に溶接等で固着されるアーチ状突起物３ｂは請求項２に記載のように薄板で形成され、かつアーチ頂上部３ｃは前記基軸の直径あるいは辺長の２倍乃至４倍の幅広とすることで安定性と作業性向上を図っている（図３参照）。
【００１２】  下部基軸４は柄部２から下部基軸４の全長の概ね３分の２程度の位置で下方に折り返すことで雑草の引き抜き作業を容易にしている。
また、上部基軸３及び下部基軸４は剛性向上のため請求項３に記載のように直線部が互いに密着した状態で柄部２に固着されており（図３参照）、さらにこれらの先端に備えた爪部３ａ、４ａはいずれも平刃形状で刃幅を２ｍｍ乃至１０ｍｍとしている。
【００１３】  また、上部基軸３と下部基軸４は請求項４に記載のように柄部側の共通する直棒部を一体構造として構成してもよい。
【００１４】  次に本考案の雑草取り具１の使い方を説明する。雑草の大きさが比較的小さくわずかな力で根元から引き抜くことができる場合には下部基軸４の爪部４ａを使用して引き抜き、反対に雑草が比較的大きく根元からの引き抜きに力を要する場合には上部基軸３のアーチ部頂上３ｃを梃子の支点として下向きに地面に当て爪部３ａを揺動させて雑草を抜き取ればわずかな力で簡単に雑草を抜き取ることができる。
【符号の説明】
【００１５】  １    雑草取り具
２    柄部
３    上部基軸
３ａ  爪部
３ｂ  アーチ状突起部
３ｃ  アーチ部頂上
４    下部基軸
４ａ  爪部
【図１】
0003219655.tif 000003
【図２】
0003219655.tif 000004
【図３】
0003219655.tif 000005
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
柄部の前側に雑草取り除き用金具を取り付けた雑草取り具であって、
前記金具は断面を円形あるいは方形とする上部基軸と下部基軸で構成され、前記上部基軸は全長を直棒とし、その略中間位置にアーチ状突起部を上方向に設けるとともに前記上部基軸の先端には雑草を抜き取るための爪部を備え、また前記下部基軸は柄部側を一部直棒としかつその前方を下方に折り返した形状とするとともにその先端には雑草を引き抜くための爪部を備えたことを特徴とする雑草取り具。
【請求項２】
前記上部基軸に設けたアーチ状突起部は、薄板で形成され、かつアーチ頂上部は前記上部基軸の直径あるいは辺長の２倍乃至４倍の幅広としたことを特徴とする請求項１に記載の雑草取り具。
【請求項３】
前記上部基軸及び下部基軸の柄部側の共通する直棒部は、互いに密着して構成されるとともに先端の爪部はいずれも平刃形状で刃幅を２ｍｍ乃至１０ｍｍとしたことを特徴とする請求項１に記載の雑草取り具。
【請求項４】
前記上部基軸及び下部基軸の柄部側の共通する直棒部は、一体構造として構成されたことを特徴とする請求項１に記載の雑草取り具。
【手続補正２】
【補正対象書類名】明細書
【補正対象項目名】０００６
【補正方法】変更
【補正の内容】
【０００６】  上記目的を達成するため本考案の雑草取り具は、柄部の前側に雑草取り除き用金具を取り付けた雑草取り具であって、前記金具は断面を円形あるいは方形とする上部基軸と下部基軸で構成され、前記上部基軸は全長を直棒とし、その略中間位置にアーチ状突起部を上方向に設けるとともに前記上部基軸の先端には雑草を抜き取るための爪部を備え、また前記下部基軸は柄部側を一部直棒としかつその前方を下方に折り返した形状とするとともにその先端には雑草を引き抜くための爪部を備えており、雑草の生え方や大きさに応じて２通りの使い分けを行えることを特徴としている。